(57)【要約】【課題】カラー再帰反射性インキ組成物の色の種類を増やすことなく、生地に採用された各種の色に忠実に対応させることにより、生地本来の色が変化しない再帰反射性衣類を得る。【解決手段】異なった色の反射光を発する複数種類のカラー再帰反射性インキ組成物（４ａ，４ｂ，４ｃ）を調合し、対象とする衣類の生地（３）の色に対応した色の反射光を発する調合カラー再帰反射性インキ組成物（４）を設け、該調合カラー再帰反射性インキ組成物（４）を前記生地（３）の表面に固着する。また、前記調合カラー再帰反射性インキ組成物（４）を、対象とする生地（３）の表面に所定の模様を附して固着する。【選択図】図１
2006028682.tif 000002
【特許請求の範囲】
【請求項１】
異なった色の反射光を発する複数種類のカラー再帰反射性インキ組成物（４ａ，４ｂ，４ｃ）を調合し、対象とする衣類の生地（３）の色に対応した色の反射光を発する調合カラー再帰反射性インキ組成物（４）を設け、該調合カラー再帰反射性インキ組成物（４）を前記生地（３）の表面に固着したことを特徴とする再帰反射性衣類。
【請求項２】
調合カラー再帰反射性インキ組成物（４）を、対象とする生地（３）の表面に所定の模様を附して固着したことを特徴とする請求項１記載の再帰反射性衣類。
【発明の詳細な説明】
【技術分野】
【０００１】
本発明は、ブラウス、コート、手袋、靴下等の衣類に関し、特に入射した光を外部に反射する再帰反射機能を有する衣類に関するものである。
【背景技術】
【０００２】
従来の技術として特許文献１に記載された発明があった。即ち、インキ内に粒子状のガラスビーズ、及び所定の色に着色したアルミニューム粒子を混入してなるカラー再帰反射性インキ組成物を設け、これを織物、編み物、不織布等の表面に固着（印刷）するようにしたものがあった。
【０００３】
上記特許文献１に記載された発明は、カラー再帰反射性インキ組成物を衣類主体の生地に固着することによって外部から入射した光を所定の色彩光に変えて外部に反射するため、夜間等において、遠方からの視認性が高くなり、安全性および装飾性に富むことになる。この場合、カラー再帰反射性インキ組成物は、自身がある色を有しているため、この色が生地の色と異なると、カラー再帰反射性インキ組成物を固着した部分の生地の色が変化し、この部分が外部に浮き出ることになる。
【０００４】
ところで、パーティー、あるいは旅行等で着用する外出用の衣類は、生地の色が装飾性を重視して決定されており、該生地の色がカラー再帰反射性インキ組成物の色によって変化すると、衣類本来の装飾性が損なわれることなる。このため、カラー再帰反射性インキ組成物を上記生地に固着する際には、その色を生地本来の色に忠実に合わせる必要がある。しかしながら、上記カラー再帰反射性インキ組成物の色の種類は製作上限定されるため、各生地の色にそれぞれ対応させることができなかった。
【０００５】
【特許文献１】特開２００２−１６７５４１号公報
【発明の開示】
【発明が解決しようとする課題】
【０００６】
本発明は、カラー再帰反射性インキ組成物の色の種類を増やすことなく、生地に採用された各種の色に忠実に対応させることにより、生地本来の色が変化しない新規な再帰反射性衣類を得ることを目的とする。
【課題を解決するための手段】
【０００７】
本発明は、上記目的を達成するために以下の如く構成したものである。即ち、請求項１に係る発明は、異なった色の反射光を発する複数種類のカラー再帰反射性インキ組成物を調合し、対象とする衣類の生地の色に対応した色の反射光を発する調合カラー再帰反射性インキ組成物を設け、該調合カラー再帰反射性インキ組成物を前記生地の表面に固着するようにしたものである。
請求項２に係る発明は、前記調合カラー再帰反射性インキ組成物を、対象とする生地の表面に所定の模様を附して固着するようにしたものである。
【発明の効果】
【０００８】
請求項１に係る発明は、調合カラー再帰反射性インキ組成物は、対象とする衣類の生地と同色にしたため、これが固着された衣類は、生地本来の色が維持されて当初の衣装性が発揮されることになる。また、夜間ライト等を浴びると、生地色と同じ色が外部に向かって反射するため、昼間と同様の装飾性が維持されるとともに、遠方からの視認性が高くなって安全性に富むことになる。また、調合カラー再帰反射性インキ組成物の色は、混合される各カラー再帰反射性インキ組成物の種類及びその混合比率を変えることによって任意の色に設定することができるので、製作するカラー再帰反射性インキ組成物の種類が少なくても、対象とする生地の色に容易に対応させることができる。
請求項２に係る発明は、対象とする生地本来の色を生かしながら、夜間時には生地色模様の反射光が発せられることになり、安全性および装飾性に富むことになる。
【発明を実施するための最良の形態】
【０００９】
以下本発明の実施例を図面に基いて説明する。図面において、図１は対象とする生地に調合カラー再帰反射性インキ組成物を固着した状態の拡大断面図、図２は調合カラー再帰反射性インキ組成物の作製状態を示す説明用断面図である。
【００１０】
図１において、１は再帰反射性衣類であり、ブラウス、コート、手袋、靴下等の衣類主体２の生地３に調合カラー再帰反射性インキ組成物４を固着してなる。
【００１１】
上記調合カラー再帰反射性インキ組成物４は、上記下地３の色と同じ色となるように調合されて該下地３の表面に固着される。即ち、図２に示すように、所定の色素を有するインキ液と接着用樹脂液とを混合させた液状あるいは粘状の捕捉流動物５ａ（５ｂ，５ｃ）内に、透明のガラスビーズ６、およよび所定の色に着色したアルミニューム粒子、樹脂粒子等からなる粒状反射物７ａ（７ｂ，７ｃ）を混入してそれぞれ異なった色、例えば赤色、青色、黄色、緑色等の反射光を発する複数種類のカラー再帰反射性インキ組成物４ａ，４ｂ，４ｃ・・・を形成する。
【００１２】
次いで、所定色を有するカラー再帰反射性インキ組成物４ａ，４ｂ，４ｃを選択し、こ れらを所定の比率で混合して上記下地３の色と同じ色となる調合カラー再帰反射性インキ組成物４を形成する。そして、上記調合カラー再帰反射性インキ組成物４をスクリーンプリント、ローラープリント、グラビアプリント、コーティング等の手段で下地３の表面に固着する。
【００１３】
この場合、上記調合カラー再帰反射性インキ組成物４は、下地３の表面全面に固着するようにしてもよく、あるいは、下地３の表面の一部に図柄、絵柄等の模様となるようにして固着するようにしてもよい。
【００１４】
上記実施例によれば、衣類主体２の生地３に固着した調合カラー再帰反射性インキ組成物４が対象とする衣類主体２の生地３と同色になるため、昼間においては、生地３に固着した調合カラー再帰反射性インキ組成物４が目立たなくなり、衣類主体２は本来の色が維持されて当初の衣装性が発揮されることになる。また、夜間ライト等を浴びると、図１に示すように、各粒状反射物７ａ，７ｂ，７ｃによって生成される異なった色の反射光Ａ，Ｂ，Ｃ・・・が混合して生地３と同色の混合反射光となり、これが外部に向かって反射するため、昼間と同様の装飾性が維持されるとともに、遠方からの視認性が高くなって安全性に富むことになる。
【００１５】
また、調合カラー再帰反射性インキ組成物４の色は、混合される各カラー再帰反射性インキ組成物４ａ、４ｂ，４ｃ・・・の種類及びその混合比率を変えることによって任意の色に容易に設定することができるので、製作するカラー再帰反射性インキ組成物４の種類が少なくても、対象とする生地３の色に容易に対応させることができる。
【図面の簡単な説明】
【００１６】
【図１】対象とする生地に調合カラー再帰反射性インキ組成物を固着した状態の拡大断面図である。
【図２】調合カラー再帰反射性インキ組成物の作製状態を示す説明用断面図である。
【符号の説明】
【００１７】
１    再帰反射性衣類
２    衣類主体
３    生地
４（４ａ，４ｂ，４ｃ）    調合カラー再帰反射性インキ組成物
５ａ，５ｂ，５ｃ    捕捉流動物
６    ガラスビーズ
７ａ，７ｂ，７ｃ    粒状反射物
【図１】
2006028682.tif 000003
【図２】
2006028682.tif 000004